(57)【要約】【課題】床下地材が取り付けられていても、下枠の高さ位置や、下枠上面の水平度を調整できる浴室出入口用建具の下枠およびその支持構造を提供すること。【解決手段】本発明は、浴室および脱衣室間に設けられる浴室出入口用建具の下枠１２である。下枠１２は、上面部２１と、上面部２１の下方に配置された下面部２８とを備える。下面部２８はボルト穴３１を備える。ボルト穴３１にはボルト５０がねじ込まれ、ボルト５０の頭部５２は上面部２１および下面部２８間に配置される。下枠１２において、ボルト５０の頭部５２の脱衣室側の位置に開口２３１が形成される。【選択図】図５
2018071254.tif 000002
【特許請求の範囲】
【請求項１】
浴室および脱衣室間に設けられる浴室出入口用建具の下枠であって、
前記下枠は、上面部と、前記上面部の下方に配置された下面部とを備えて構成され、
前記下面部には、ボルト穴が設けられ、
前記ボルト穴にはボルトがねじ込まれており、前記ボルトの頭部が前記上面部および前記下面部間に配置され、
前記ボルトの頭部の前記脱衣室側の位置に開口が形成されている
ことを特徴とする浴室出入口用建具の下枠。
【請求項２】
請求項１に記載の浴室出入口用建具の下枠において、
前記下枠は、下枠本体と裏板とを備えて構成され、
前記下枠本体は、前記上面部と、前記上面部の下方に配置された見込み面部とを備えて構成され、
前記下面部は、前記見込み面部と、前記見込み面部に固定された前記裏板とを備えて構成され、
前記見込み面部は、前記ボルトのネジ部が挿通可能な挿通孔を有し、
前記裏板は、前記挿通孔に対応する位置に形成された前記ボルト穴を有する
ことを特徴とする浴室出入口用建具の下枠。
【請求項３】
請求項１または請求項２に記載の浴室出入口用建具の下枠において、
前記上面部および前記下面部間の空間と、前記脱衣室側とを区画する見付け面部を備え、
前記見付け面部には、前記ボルトの頭部の前記脱衣室側の位置に前記開口が形成されている
ことを特徴とする浴室出入口用建具の下枠。
【請求項４】
請求項１または請求項２に記載の浴室出入口用建具の下枠において、
前記上面部および前記下面部間の空間の前記脱衣室側は、前記下枠の長手方向の全長に渡って開口されている
ことを特徴とする浴室出入口用建具の下枠。
【請求項５】
請求項１から請求項４のいずれか一項に記載の浴室出入口用建具の下枠と、
前記ボルトの先端が当接されて前記下枠を支持する支持部材と、
前記下枠の前記脱衣室側に配置される床仕上げ材と、
前記床仕上げ材を支持する床下地材とを備え、
前記下枠は、前記床仕上げ材の上面に配置される見切り片部を備え、
前記床下地材の上面高さ位置は、前記開口を前記脱衣室側に露出可能な位置に設定され、
前記床仕上げ材は、前記床下地材および前記見切り片部間に配置される
ことを特徴とする浴室出入口用建具の下枠の支持構造。
【請求項６】
請求項１から請求項４のいずれか一項に記載の浴室出入口用建具の下枠と、
前記下枠を支持する支持脚と、
前記支持脚に取り付けられたボルト受け金具とを備え、
前記ボルトの先端が前記ボルト受け金具に当接されている
ことを特徴とする浴室出入口用建具の下枠の支持構造。
【発明の詳細な説明】
【技術分野】
【０００１】
本発明は、浴室と脱衣室との出入口に設けられる浴室ドアや浴室引戸等の浴室出入口用建具の下枠およびその支持構造に関する。
【背景技術】
【０００２】
浴室と脱衣室との出入口に設けられる浴室出入口用建具として、建具枠と、この建具枠に開閉自在に支持された障子とを備える浴室用片引戸が知られてる（例えば、特許文献１参照）。
ここで、在来工法の建物における浴室出入口用建具の下枠は、特許文献１の図５に示すように、浴室側は防水パンの端部の支持部に支持され、脱衣室側は大引き等に着座させたアジャストボルトに支持されている。
【先行技術文献】
【特許文献】
【０００３】
【特許文献１】特許第３５５４６８８号公報
【発明の概要】
【発明が解決しようとする課題】
【０００４】
ところで、前記特許文献１のアジャストボルトは、下枠の下側に位置するボルトの頭部をスパナで回すことなどで高さ調整している。このため、フローリングなどの床仕上げ材を支持する床下地材が取り付けられた後は、床下地材でアジャストボルトが隠れるために、ボルトをスパナで回すことができない。
このため、建具枠に可動障子や固定障子を吊り込んだ際に、各障子の荷重によって下枠が撓むと、その撓みを修正することができないという課題がある。下枠の撓みを修正できないと、下枠の脱衣室側の見切り片部と、根太や床下地材との間に床仕上げ材を配置できなくなるおそれがある。また、下枠の撓みを考慮して下枠の位置を高く設定した場合には、床仕上げ材と下枠の見切り片部との間に隙間が生じてしまうおそれがある。
【０００５】
また、マンションなどのＲＣ造の建物においても、軽量鉄骨（ＬＧＳ）等による床下地材の上に床仕上げ材が配置された場合、ボルトの頭部をスパナで回して下枠の高さ調整を行うことができないという同様の課題がある。
【０００６】
本発明の目的は、下枠の高さ位置や、下枠上面の水平度を容易に調整できる浴室出入口用建具の下枠およびその支持構造を提供することにある。
【課題を解決するための手段】
【０００７】
本発明は、浴室および脱衣室間に設けられる浴室出入口用建具の下枠であって、前記下枠は、上面部と、前記上面部の下方に配置された下面部とを備えて構成され、前記下面部には、ボルト穴が設けられ、前記ボルト穴にはボルトがねじ込まれており、前記ボルトの頭部が前記上面部および前記下面部間に配置され、前記ボルトの頭部の前記脱衣室側の位置に開口が形成されていることを特徴とする。
【０００８】
本発明によれば、下枠の下面部のボルト穴に、ボルトを上方からねじ込んでおり、前記ボルトの先端（下端）が下面部の下側に突出するので、前記ボルトを土台に当接させることができる。このため、脱衣室側の床仕上げ材を設置するまでの間、下枠を支持することが可能であり、ガラス等を組み込んだ重量が大きな障子を配置した場合でも、床仕上げ材の設置までの下枠の変形を防止できる。
また、ボルトの頭部を下枠の上面部および下面部間に配置し、この頭部の脱衣室側の位置に開口を形成しているため、前記開口が脱衣室側に露出している状態であれば、前記開口からスパナを差し込んでボルトの頭部を回すことができる。したがって、下枠の下面部にねじ込まれたボルトのねじ込み量を調整することで、ボルトの先端が当接された土台等を基準に、下枠の高さ位置や下枠上面の水平度を容易に調整できる。なお、本発明において、ボルトは、ネジを含むものであり、下枠の下面部のボルト穴にねじ込まれるものであれば、ボルトやネジの種類は限定されない。
【０００９】
本発明の浴室出入口用建具の下枠において、前記下枠は、下枠本体と裏板とを備えて構成され、前記下枠本体は、前記上面部と、前記上面部の下方に配置された見込み面部とを備えて構成され、前記下面部は、前記見込み面部と、前記見込み面部に固定された前記裏板とを備えて構成され、前記見込み面部は、前記ボルトのネジ部が挿通可能な挿通孔を有し、前記裏板は、前記挿通孔に対応する位置に形成された前記ボルト穴を有することが好ましい。
【００１０】
本発明によれば、ボルト穴が形成された裏板を見込み面部に固定したので、見込み面部に雌ねじを形成する必要が無く、ボルトのネジ部が挿通される挿通孔を形成するだけでよい。したがって、下枠本体をアルミ押出形材等で製造した場合に、形材の肉厚を小さくでき、下枠本体を軽量化でき、コストも低減できる。
【００１１】
本発明の浴室出入口用建具の下枠において、前記上面部および前記下面部間の空間と、前記脱衣室側とを区画する見付け面部を備え、前記見付け面部には、前記ボルトの頭部の前記脱衣室側の位置に前記開口が形成されていることが好ましい。
【００１２】
本発明によれば、下枠の見付け面部において、ボルトの頭部の配置位置に対応する開口が形成されているので、作業者はボルトの配置箇所を容易に把握できる。このため、開口からスパナを挿入することで、ボルトの頭部を容易に回して下枠の高さ位置を容易に調整できる。さらに、見付け面部を上面部および下面部に連結できるため、下枠の剛性を向上できる。
【００１３】
本発明の浴室出入口用建具の下枠において、前記上面部および前記下面部間の空間の前記脱衣室側は、前記下枠の長手方向の全長に渡って開口されていることが好ましい。
【００１４】
本発明によれば、下枠をアルミ押出形材等で製造した際に、上面部および下面部の脱衣室側の端部間が開口された形状で製造すればよく、開口を切欠加工する必要が無いため、下枠の製造工程が少なくなり、生産性を向上できる。
【００１５】
本発明の浴室出入口用建具の下枠の支持構造は、前記浴室出入口用建具の下枠と、前記ボルトの先端が当接されて前記下枠を支持する支持部材と、前記下枠の前記脱衣室側に配置される床仕上げ材と、前記床仕上げ材を支持する床下地材とを備え、前記下枠は、前記床仕上げ材の上面に配置される見切り片部を備え、前記床下地材の上面高さ位置は、前記開口を前記脱衣室側に露出可能な位置に設定され、前記床仕上げ材は、前記床下地材および前記見切り片部間に配置されることを特徴とする。
【００１６】
本発明によれば、床下地材が取り付けられていても、床仕上げ材が設置される前であれば、開口からスパナを挿入してボルトの高さを容易に調整できる。したがって、可動障子や固定障子を建具枠内に吊り込んだ後、下枠が障子の重量で撓んでも、ボルトの高さを調整することで、下枠の高さ位置や下枠上面の水平度を調整できる。
【００１７】
本発明の浴室出入口用建具の下枠の支持構造は、前記浴室出入口用建具の下枠と、前記下枠を支持する支持脚と、前記支持脚に取り付けられたボルト受け金具とを備え、前記ボルトの先端が前記ボルト受け金具に当接されていることを特徴とする。
【００１８】
本発明によれば、ユニットバス等を支持する支持脚にボルト受け金具を取り付け、下枠のボルト穴にねじ込まれたボルトの先端（下端）をボルト受け金具に当接させているので、下枠をボルトおよびボルト受け金具を介して支持脚で支持できる。したがって、ボルトの高さを調整することで、下枠の高さ位置や下枠上面の水平度を容易に調整できる。
また、コンクリートスラブ等の上に、ボルト受け金具が取り付けられた支持脚を設置すれば、浴室出入口用建具の下枠を支持でき、浴室出入口用建具を設置できる。したがって、床下地材を支持する他の支持脚や、床下地材を設置する前に、浴室出入口用建具を設置することもでき、施工手順の自由度が高まり、施工性を向上できる。
【発明の効果】
【００１９】
本発明の浴室出入口用建具の下枠およびその支持構造によれば、下枠の高さ位置や、下枠上面の水平度を容易に調整できる。
【図面の簡単な説明】
【００２０】
【図１】本発明の第１実施形態の浴室出入口用建具を脱衣室側から見た正面図。
【図２】図１のII-II線で示す前記建具の横断面図。
【図３】図１のIII-III線で示す前記建具の縦断面図。
【図４】第１実施形態の要部を示す斜視図。
【図５】第１実施形態の要部を示す斜視図。
【図６】第１実施形態の要部を示す縦断面図。
【図７】本発明の第２実施形態の要部を示す縦断面図。
【図８】本発明の第３実施形態の要部を示す縦断面図。
【発明を実施するための形態】
【００２１】
［第１実施形態］
以下、本発明の第１実施形態に係る浴室出入口用建具の下枠を図面に基づいて説明する。
第１実施形態の浴室出入口用建具は、図１〜３に示すように、片引き戸１である。
片引き戸１は、ユニットバス２で構成された浴室と、この浴室に隣接する脱衣室との出入り口に用いられる建具である。
この片引き戸１は、建具枠１０と、建具枠１０の内部に片引き形式に開閉可能に支持された１枚の可動障子４と、建具枠１０の内部に固定された１枚の固定障子６とを備えて構成されている。
【００２２】
建具枠１０は、上枠１１、下枠１２および左右の縦枠１３，１４を枠組みして構成されている。
可動障子４は、上框４１、下框４２および左右の縦框４３，４４を枠組みした内部に、合成樹脂製や強化ガラス製のパネル４５を取り付けて構成されている。パネル４５には、可動障子４を開閉操作するためのハンドル４５１が固定されている。
固定障子６は、上框６１、下框６２および左右の縦框６３，６４を枠組みした内部に、合成樹脂製や強化ガラス製のパネル６５を嵌めこんで構成されている。
以下、本発明の要部である下枠１２の構成を詳細に説明する。
【００２３】
［下枠］
下枠１２は、図３〜図６に示すように、下枠本体２０と、裏板３０とを備えている。
下枠本体２０は、アルミ押出形材などで構成され、上面部２１と、見込み面部２２と、見付け面部２３と、連結部２４と、延出部２５と、見切り片部２６とを備えている。
上面部２１は、固定障子６が載置される位置に設けられている。見込み面部２２は、上面部２１の下方に配置され、その下面には裏板３０が固定されている。本実施形態では、見込み面部２２および裏板３０によって、下枠１２の下面部２８が構成されている。
見付け面部２３は、上面部２１および見込み面部２２の脱衣室側端部を連結する。連結部２４は、上面部２１および見込み面部２２の浴室側を連結する。延出部２５は、連結部２４から浴室側に延出されている。見切り片部２６は、上面部２１から脱衣室側に延出されている。
【００２４】
図６に示すように、上面部２１と見付け面部２３との連結部分には、ビスホール２１１が形成されている。
連結部２４は、上面部２１の浴室側端部から下方に向かって連続する垂直部２４１と、垂直部２４１の下端から浴室側に向かって水平方向に延出された水平部２４２と、水平部２４２から下方に延長された延長部２４３とを備えている。水平部２４２と延長部２４３との連結部分には、ビスホール２４５が形成されている。
【００２５】
見付け面部２３の長手方向（下枠１２の長手方向）に沿った複数箇所（例えば４箇所）には、図４，５に示すように、開口２３１が形成されている。また、見込み面部２２には、前記開口２３１に連続する長溝２２１が形成されている。
長溝２２１は、高さ調整用のボルト５０のネジ部５１を挿通可能な幅寸法および奥行き寸法とされている。したがって、本実施形態において、ボルト５０のネジ部５１が挿通される挿通孔は、長溝２２１で構成される。
【００２６】
裏板３０は、金属製の板材であり、見付け面部２３の長溝２２１の数、つまりボルト５０の数に合わせて、複数枚用意されている。
各裏板３０には、ボルト穴（雌ねじ）３１が形成され、ボルト穴３１には裏板３０の上面側から下面側に向かって、ボルト５０のネジ部５１がねじ込まれ、ボルト５０は上下方向に移動可能に設けられている。ボルト５０は、六角ボルトであり、ボルト５０の頭部５２が裏板３０の上面側に配置され、ボルト５０の下端となるネジ部５１の先端（ネジ先）５３が裏板３０の下面側に配置されている。
各裏板３０は、ボルト５０のネジ部５１が長溝２２１に配置された状態で、見込み面部２２の下面に２つのネジ３２で固定されている。
【００２７】
ボルト５０は、図６に示すように、土台７０の上面に当接する。したがって、本実施形態では、ボルト５０のネジ先５３が当接されて下枠１２を支持する支持部材は、土台７０で構成されている。
このボルト５０は、開口２３１からスパナ５５を挿入し、頭部５２をスパナ５５で回すことで、裏板３０からの突出量を変更できる。
これにより、下枠１２の高さ位置、具体的には、土台７０の上面から見切り片部２６の下面までの高さ寸法Ｈ０が調整される。
また、ボルト５０は、下枠１２の長手方向（片引き戸１の左右方向）の複数箇所に設けられている。このため、下枠１２において固定障子６が配置された部分が下方に撓んだ場合に、下方に撓んだ部分のボルト５０を回して下枠１２を持ち上げ、下枠１２の上面全体が水平な状態に近づくように調整できる。
【００２８】
延出部２５は、図３に示すように、可動障子４を案内するレール部材２５１が取り付けられる保持溝と、中空部とを備える。中空部には、ビスホール２５４が形成されている。
見切り片部２６は、脱衣室の床仕上げ材７１の上面に配置され、床仕上げ材７１の端縁を覆っている。床仕上げ材７１は床下地材７２で支持され、床下地材７２は、土台７０の上に載置されている。
見切り片部２６の表面には、下枠１２の全長に渡って連続する溝が形成され、この溝から床仕上げ材７１にネジ７５をねじ込むことで、下枠１２が床仕上げ材７１に固定される。この溝には、全長に渡ってカバー２６１が装着され、ネジ７５が露出しないように被覆している。
【００２９】
図３に示すように、床仕上げ材７１の厚さ寸法をＨ１とし、床下地材７２の厚さ寸法をＨ２とする。土台７０の上面から見切り片部２６までの高さ寸法Ｈ０が、前記高さ寸法Ｈ１＋Ｈ２よりも小さいと、床下地材７２と見切り片部２６との間に床仕上げ材７１を配置できない。一方、高さ寸法Ｈ０が、高さ寸法Ｈ１＋Ｈ２よりも大きいと、床仕上げ材７１と見切り片部２６との間に隙間が生じてしまう。
このため、ボルト５０の頭部５２をスパナ５５で回し、裏板３０からボルト５０のネジ先５３までの突出寸法を調整する。これにより、前記高さ寸法Ｈ０を、高さ寸法Ｈ１＋Ｈ２と一致するように調整できる。
【００３０】
開口２３１の高さ寸法および幅寸法は、開口２３１からスパナ５５を挿入して頭部５２を回転させることができる寸法に設定されている。
例えば、本実施形態では、スパナ５５の厚さ寸法が６．５mm程度であるため、開口２３１の高さ寸法はそれ以上の寸法、例えば１０mm程度に設定されている。また、図５に示すように、開口２３１の幅寸法Ｗ５は、スパナ５５を動かしてボルト５０を回すことができるように、例えば６０mmとしている。
さらに、土台７０上に床下地材７２が取り付けられた際、床下地材７２の上面高さ位置は、下枠１２を適正な高さ位置に設置した状態で、開口２３１を脱衣室側に露出でき、前記スパナ５５を挿入可能な寸法としている。例えば、図３に示すように、下枠１２の延出部２５をユニットバス２の受け部３に載置した状態で、床下地材７２の上面から開口２３１の上端縁までの高さ寸法Ｈ５は、例えば８mmとしている。
なお、本実施形態では、見付け面部２３の上端側にビスホール２１１が形成されているため、開口２３１の上端縁はビスホール２１１の下端縁の高さ位置とされている。
【００３１】
長溝２２１の幅寸法は、前述のとおり、ボルト５０のネジ部５１の直径より大きく設定され、長溝２２１にネジ部５１を挿通可能に設定されている。
また、本実施形態では、長溝２２１の幅寸法を、ボルト５０の頭部５２の二面幅よりも小さい寸法としている。これにより、裏板３０にボルト５０をねじ込んだ状態で、長溝２２１の開口からネジ部５１を挿入すると、長溝２２１に頭部５２が係止された状態に維持できる。したがって、裏板３０を介して見込み面部２２に、ネジ３２をねじ込む作業を容易に行うことができる。
長溝２２１の奥行き寸法は、下枠１２に対するボルト５０の見込み方向の位置に合わせて設定されている。本実施形態では、ボルト５０の頭部５２が、垂直部２４１やビスホール２１１に当接しない位置に設定されている。
【００３２】
［下枠の高さ位置の調整方法］
次に、本実施形態における下枠１２の高さ位置の調整方法に関して説明する。
図３，６に示すように、土台７０の上には床下地材７２を載置して固定しておく。また、ユニットバス２も設置しておく。
次に、ユニットバス２の出入口部分に、片引き戸１の建具枠１０を設置する。この際、下枠１２のボルト５０は、裏板３０から下方への突出量を予め設定しておく。そして、下枠１２の延出部２５をユニットバス２の受け部３に載置し、ボルト５０のネジ先５３を土台７０上に設置する。
【００３３】
次に、建具枠１０に、可動障子４、固定障子６を組み込む。ここで、床仕上げ材７１が取り付けられていない状態では、床下地材７２の上面側に開口２３１が露出する。そこで、開口２３１からスパナ５５を差し込み、複数箇所に設けられたボルト５０を適宜回して下枠１２の高さ位置および水平度を調整できる。
この際、土台７０の上面から見切り片部２６の下面までの寸法が、床仕上げ材７１の高さ寸法Ｈ１と一致し、下枠１２の上面部２１が水平な状態となるように、各ボルト５０を回して調整する。
【００３４】
その後、床下地材７２および見切り片部２６間に床仕上げ材７１を差し込み、見切り片部２６からネジ７５をねじ込んで固定する。次に、見切り片部２６にカバー２６１を取り付けてネジ７５を被覆する。
そして、建具枠１０の上枠１１や縦枠１３、１４を、躯体やユニットバスにネジなどで固定する。以上により、片引き戸１が施工される。なお、片引き戸１の施工後は、下枠１２は、受け部３および床仕上げ材７１で全長に渡って支持されるため、仮にボルト５０が緩んでも、下枠１２が撓むことはない。
【００３５】
［第１実施形態の効果］
このような第１実施形態によれば、以下のような効果がある。
下枠１２の裏板３０にボルト５０をねじ込んでおり、ボルト５０のネジ先５３を土台７０に当接させているので、脱衣室側の床仕上げ材７１を設置するまでの間、下枠１２を支持することができる。このため、ガラス等を組み込んだ重量が大きな固定障子６を建具枠１０内に設置した場合も、その荷重を下枠１２およびボルト５０で支持でき、下枠１２の変形も防止できる。
【００３６】
開口２３１は、床下地材７２の上面よりも上方に露出し、床仕上げ材７１を取り付ける前であれば、前記開口２３１からスパナ５５を差し込んでボルト５０を回転できる。このため、施工現場で、建具枠１０に可動障子４や固定障子６を吊り込んだ後、床下地材７２を取り付ける前に、下枠１２の高さ位置や水平度を容易に調整できる。したがって、床下地材７２の上面から見切り片部２６の下面までの高さ寸法を、床仕上げ材７１の厚さ寸法に合わせて調整でき、床仕上げ材７１を確実に配置でき、見切り片部２６との間に隙間が生じることもないので、良好な仕上げを行うことができる。
【００３７】
ボルト穴３１が形成された裏板３０を見込み面部２２に固定したので、見込み面部２２に雌ねじを形成する必要が無く、挿通孔となる長溝２２１を形成するだけでよい。したがって、下枠本体２０の肉厚を小さくでき、ボルト５０の変形の心配がなく、下枠本体２０を軽量化でき、低コストで製造できる。
【００３８】
下枠１２の見付け面部２３において、ボルト５０の頭部５２の配置位置に対応して開口２３１を形成したので、作業者は開口２３１を視認できればボルト５０の配置箇所を容易に把握できる。このため、開口２３１からスパナ５５を挿入した際に、ボルト５０の頭部５２をスパナ５５で容易に回すことができ、下枠１２の高さ位置も容易に調整できる。
見付け面部２３は、上面部２１および見込み面部２２に連結されているので、下枠１２にボルト５０の頭部５２が配置される中空部を形成することができ、下枠１２の剛性を向上できる。
【００３９】
ボルト５０によって下枠１２の水平度を調整できるので、可動障子４が案内されるレール部材２５１や、固定障子６が載置される上面部２１を、水平な状態に調整できる。このため、可動障子４および固定障子６が傾いて設置されることを防止でき、片引き戸１の意匠を損ねることもない。
すなわち、可動障子４や固定障子６が傾いて設置されると、脱衣室側から片引き戸１を視認した際に、框の一部が建具枠１０からはみ出して露出し、意匠が低下する。
これに対し、可動障子４、固定障子６を傾き無く設置できれば、各框を、建具枠１０と重ねたり、召合せ部分の各縦框４４，６４を互いに重ねることができる。このため、図１に示すように、片引き戸１を脱衣室側から視認した際に、可動障子４や固定障子６の框が目立たず、召合せ部分も縦框６４のみが露出するようにでき、意匠を向上できる。特に、縦框４４，６４を見込み方向に正確に重ねることができるため、縦框４４，６４を見付け寸法が小さなスリムなデザインにでき、片引き戸１の意匠を向上できる。
【００４０】
［第２実施形態］
第２実施形態は、図７に示すように、脱衣室側の側面が開口された下枠１２Ａを用いたものである。すなわち、下枠１２Ａの下枠本体２０Ａは、上面部２１Ａと、見込み面部２２Ａと、垂直面部２３Ａとを備える。垂直面部２３Ａは、上面部２１Ａ、見込み面部２２Ａの脱衣室側の端部よりも浴室側の位置に設けられている。
これにより、上面部２１Ａ、見込み面部２２Ａ、垂直面部２３Ａで区画される空間は、脱衣室側の側面が下枠１２Ａの長手方向全長に渡って開口されている。見込み面部２２Ａには、第１実施形態と同様に長溝２２１が形成され、裏板３０にねじ込まれたボルト５０が配置されている。
したがって、第２実施形態においても、見込み面部２２Ａおよび裏板３０によって、下枠１２Ａの下面部２８Ａが構成されている。その他の構成は、前記第１実施形態と同一であるため、説明を省略する。
【００４１】
第２実施形態によれば、前記第１実施形態と同様の作用効果を奏することができる。
さらに、下枠本体２０Ａをアルミ押出形材で製造する際に、下枠１２Ａの脱衣室側の側面が開口された形状で製造できるので、第１実施形態のように開口２３１を切欠加工する必要が無い。このため、下枠１２Ａでは、長溝２２１の切欠加工を行えばよく、加工作業を軽減できる。したがって、長溝２２１の加工位置や数を変更するだけで、ボルト５０の本数を変更したり、配置箇所を変更でき、片引き戸１のサイズや、可動障子４、固定障子６の重量などに応じて、適切な本数のボルト５０を容易に設けることができる。
【００４２】
［第３実施形態］
第３実施形態は、図８に示すように、マンションなどのＲＣ造の建物において片引き戸１を配置したものである。
すなわち、ＲＣ造では、コンクリートスラブ８０の上に、ユニットバス２を支持する支持脚８３と、床下地材８６を支持する支持脚（床束）８５とを配置している。支持脚８３の側面には、ボルト受け金具８４が固定されている。
片引き戸１の下枠１２は、ユニットバス２の防水パンなどに支持されるとともに、ボルト５０を介してボルト受け金具８４で支持されている。したがって、第３実施形態では、ボルト５０のネジ先５３が当接されて下枠１２を支持する支持部材は、ボルト受け金具８４および支持脚８３で構成されている。
支持脚８５は床下地材８６を支持しており、床下地材８６の上には床仕上げ材８７が配置される。下枠１２の開口２３１は、床下地材８６の上面に露出しており、前記第１実施形態と同じく、床仕上げ材８７を設置するまでは、開口２３１からスパナ５５を差し込むことでボルト５０を回すことができ、下枠１２の高さ位置や水平度を調整できる。
【００４３】
第３実施形態によれば、前記第１実施形態と同様の作用効果を奏することができる。
さらに、下枠１２の延出部２５およびボルト５０を、ユニットバス２およびボルト受け金具８４を介して支持脚８３で支持しているので、コンクリートスラブ８０および支持脚８３が設置された状態で、片引き戸１を設置できる。このため、支持脚８５や床下地材８６等を設置する前に片引き戸１を設置することもでき、現場での施工手順の自由度が高まり、施工性を向上できる。
【００４４】
［変形例］
本発明は、以上の実施形態で説明した構成のものに限定されず、本発明の目的を達成できる範囲での変形例は、本発明に含まれる。
例えば、下枠１２としては、下枠本体２０および裏板３０を備えて構成されるものに限定されず、裏板３０を備えないものでもよい。すなわち、下面部２８を見込み面部２２のみで構成し、見込み面部２２にボルト穴を形成してもよい。この場合、上面部２１からボルト５０を挿入する必要があるため、上面部２１にボルト５０を挿入する穴を加工し、見込み面部２２に雌ねじを加工してボルト穴を形成すればよい。上面部２１に形成した穴は、上面部２１にカバー材を装着したり、固定障子６を設置することで隠せばよい。
このような構成においても、見込み面部２２のボルト穴にねじ込まれたボルト５０は、頭部５２の脱衣室側に形成された開口２３１からスパナ５５を挿入して回すことができる。
【００４５】
裏板３０は、見込み面部２２の下面側に配置されるものに限定されず、見込み面部２２の上面側に配置されてもよい。
また、ボルト５０の配置数は、１つでもよいし、２つ以上でもよく、片引き戸１の幅寸法つまり下枠１２の長手方向の寸法や、固定障子６の重量などに応じて設定すれば良い。
下枠１２の見付け面部２３にビスホール２１１が形成されていない場合は、開口２３１は見付け面部２３の上端、つまり上面部２１との連結部分まで形成してもよい。このように開口２３１の上端の高さ位置を高くすれば、床下地材７２の上面側に露出する開口２３１を大きくでき、スパナ５５を挿入し易くできる。
【００４６】
下枠１２にボルト５０の上方への移動を規制する突起などを形成してもよい。例えば、見付け面部２３にビスホール２１１が形成されているためなどで、開口２３１の上端の位置を高くできない場合に、ボルト５０の頭部５２が開口２３１よりも上側に位置していると、スパナ５５を挿入しても頭部５２に係合させることができない可能性がある。このため、ボルト５０の頭部５２が開口２３１よりも上方に移動しないように、移動規制用の突起などを形成してもよい。
【００４７】
また、本発明の浴室出入口用建具は、前記実施形態の片引き戸１に限らない。例えば、２枚以上の面材が片引き形式に開閉自在に支持されたものでもよく、２枚の面材が各々逆方向に片引き形式に支持されて、左右両側に固定障子６が設けられた引き分け開放形式のものでもよい。
また、浴室出入口用建具としては、引戸形式のものに限らず、浴室ドアや浴室折れ戸などでもよい。
【符号の説明】
【００４８】
１…浴室出入口用建具である片引き戸、１０…建具枠、１２，１２Ａ…下枠、２０，２０Ａ…下枠本体、２１，２１Ａ…上面部、２２，２２Ａ…見込み面部、２３…見付け面部、２６…見切り片部、２８，２８Ａ…下面部、３０…裏板、３１…ボルト穴、３２…ネジ、５０…ボルト、５１…ネジ部、５２…頭部、５３…ネジ先、７０…支持部材である土台、７１，８７…床仕上げ材、７２，８６…床下地材、８３…支持部材である支持脚、８４…支持部材であるボルト受け金具、２３１…開口。
【図１】
2018071254.tif 000003
【図２】
2018071254.tif 000004
【図３】
2018071254.tif 000005
【図４】
2018071254.tif 000006
【図５】
2018071254.tif 000007
【図６】
2018071254.tif 000008
【図７】
2018071254.tif 000009
【図８】
2018071254.tif 000010